(57)【要約】【課題】表示部の視認許可状態と不許可状態を容易に切り換えることができ、既存の計量計への適用にかかる手間とコストを低減可能なユーティリティ計量計の表示部遮蔽構造を提供すること。【解決手段】ユーティリティ計量計１０のケーシング１２の前面にその視認窓１６を全面的に覆った状態で、開閉扉体２０を有する被覆体１８を取り付ける。これにより、計量計１０の表示部１４の視認許可状態と視認不許可状態の切り替えを被覆体１８の扉体２０を開閉するという簡易な作業で行うことができる。また、被覆体１８は、既存のユーティリティ計量計１０のケーシング１２の前面に接着するだけで取り付け可能であるので、表示部を遮蔽するための構造を既存の計量計１０への適用にかかる手間やコストを大きく低減することができる。【選択図】図１
2011242140.tif 000002
【特許請求の範囲】
【請求項１】
計量対象であるユーティリティの計量表示を行う表示部を備えた計量部本体と、該計量部本体を内部に収容し前記表示部を視認するための視認窓が設けられたケーシングと、を備えたユーティリティ計量計の前記表示部を外部から遮蔽するユーティリティ計量計の表示部遮蔽構造において、
前記視認窓を全面的に覆った状態で前記ケーシングの前面に接着される被覆体と、
前記被覆体に設けられ開状態で前記視認窓の視認を可能とする開閉扉体と、
を備えたことを特徴とする表示部遮蔽構造。
【請求項２】
前記被覆体の接着は、
該被覆体の前記ケーシングへの取り付け面に設けられた両面テープにより行われることを特徴とする請求項１に記載の表示部遮蔽構造。
【請求項３】
計量対象であるユーティリティの計量表示を行う表示部を備えた計量部本体と、該計量部本体を内部に収容し前記表示部を視認するための視認窓が設けられたケーシングと、を備えたユーティリティ計量計の前記表示部を外部から遮蔽するユーティリティ計量計の表示部遮蔽構造において、
前記ケーシングの視認窓から前記表示部への視界を遮蔽するように前記ケーシングに接着される遮蔽体を備え、
前記遮蔽体の前記視認窓に対向する領域には、一辺側を軸として回動自在に構成された複数の羽板が所定間隔毎に配置されてなり通常状態において前記対向領域を遮蔽するルーバー部が設けられ、
前記ルーバー部の各羽板は、回動先端側にそれぞれ磁性体部が設けられたことを特徴とする表示部遮蔽構造。
【発明の詳細な説明】
【技術分野】
【０００１】
本発明は、ユーティリティ計量計の表示部遮蔽構造に関し、特に、外部者にユーティリティ計量計の表示部が視認されることを防止する表示部遮蔽構造を備えたユーティリティ計量計に関する。
【背景技術】
【０００２】
従来、電力量、ガス使用量、及び水道使用量等のユーティリティの使用量を計量するユーティリティ計量計が知られており、この種のユーティリティ計量計として、矩形状などに形成されたケーシングとそのケーシングに収容されている計量計本体部からなるタイプのものが使用されている。
【０００３】
このユーティリティ計量計の本体部には、対象の家屋で使用される電気、ガス、水道等のユーティリティの使用状況を計量する計量器と、この計量器により計量された計量結果を表示する表示部が設けられている。そして、このようなユーティリティ計量計においては、検針員による検針時などの表示部をチェックする必要がある場合に当該計量計の外部からユーティリティ使用状況の確認が可能となるように、上記ケーシングに表示部を視認するための視認窓が設けられている。
【０００４】
しかし、近年では、このユーティリティ計量計の視認窓から、第三者が計量計本体の表示部を盗み見ることにより、計量の対象である家屋の在宅、又は不在の状況を判断することができるので、防犯性の点において問題となっていた。
【０００５】
防犯性の問題を解決するために、表示部を視認する必要のない通常状態においてユーティリティ計量計を全体的に不透明なカバーで覆って、外部から表示部を視認することができないようにすることも考えられる。しかし、検針の度にカバーの着脱を行うことは、手間のかかる作業であり、検針員に対する負担も大きい。特に、この種のユーティリティ計量計は一般に住宅等の美観を損ねないように高所や狭い場所に設置されていることが多く、このような場所において計量計のカバーを着脱する作業は極めて困難であり、現実的ではなかった。
【０００６】
このような状況に対して、特許文献１には、ユーティリティ計量計の一種である電力量計の表示部が第三者により覗き見られることを防止するための電力量計収納ケースが開示されている。
【０００７】
この電力量計収納ケース（１）は、電力量計本体を覆って使用するものであり、ステンレス製のケース本体（３）と、このケース本体（３）の前面及び右側面を覆うように取り付けられる前面扉（２）を備えている。このケース本体（３）は、電力量計が設置される基板（５）と、基板（５）に設置された電力量計に前面から被さるカバー部材（４）から構成されている。このカバー部材（４）には電力量計の表示部を視認するための視認窓部（８）が形成されている。
【０００８】
一方、前面扉（２）は、基板（５）の側端部に設けられている軸（４１）に取り付けられたヒンジ板（３２）を介して基板（５）に対して回動可能に取り付けられている。従って、この前面扉（２）を回動させてカバー部材（４）を閉塞して前面の窓部（８）塞ぐことにより、第三者による外部からの電力量計の表示部の覗き見を防止する。この電力量計収納ケース（１）によれば、前面扉（２）の開閉で、外部から表示部の視認許可状態と不許可状態を容易に切り換えることができるので、検針作業時の負担を増加させることなく、計量対象の住宅のプライバシーを保護することができる。
【先行技術文献】
【特許文献】
【０００９】
【特許文献１】特開２００８−２６２７７号公報
【発明の概要】
【発明が解決しようとする課題】
【００１０】
しかし、特許文献１に記載の電力量収納ケース（１）においては、現在使用されている既存の電力量計に適用する場合、適用対象の電力量計の本体を一度その取り付け基板から取外し、当該基板をケース本体（３）装着用の基板（５）に付け替えて、再度、電力量計本体をこのケース本体装着用基板（５）に設置した後に、カバーを被せて設置する必要がある。従って、この電力量収納ケース（１）を既存の電力量計に適用する作業には、多大な手間とコストが発生するものと考えられる。
【００１１】
本発明は、このような事情に鑑みてなされたものであり、その目的は、表示部の視認許可状態と不許可状態を容易に切り換えることができ、既存の計量計への適用にかかる手間とコストを低減可能なユーティリティ計量計の表示部遮蔽構造を提供することにある。
【課題を解決するための手段】
【００１２】
上記課題を解決するために、請求項１に記載の表示部遮蔽構造は、計量対象であるユーティリティの計量表示を行う表示部を備えた計量部本体と、該計量部本体を内部に収容し前記表示部を視認するための視認窓が設けられたケーシングと、を備えたユーティリティ計量計の前記表示部を外部から遮蔽するユーティリティ計量計の表示部遮蔽構造において、前記視認窓を全面的に覆った状態で前記ケーシングの前面に接着される被覆体と、前記被覆体に設けられ開状態で前記視認窓の視認を可能とする開閉扉体と、を備えたことを特徴とする。
【００１３】
本発明によれば、計量計の表示部の視認許可状態と視認不許可状態の切り替えを被覆体の扉体を開閉するという簡易な作業で行うことができる。また、被覆体は、既存のユーティリティ計量計のケーシングの前面に接着するだけで取り付け可能であるので、表示部を遮蔽するための構造を既存の計量計へ適用する手間やコストを大きく低減することができる。
【００１４】
請求項２に記載の発明は、請求項１に記載の表示部遮蔽構造において、前記被覆体の接着は、該被覆体の前記ケーシングへの取り付け面に設けられた両面テープにより行われることを特徴とする。これによれば、既存のユーティリティ計量計のケーシングへの被覆体の接着を極めて容易に行うことができる。
【００１５】
請求項３に記載の表示部遮蔽構造は、計量対象であるユーティリティの計量表示を行う表示部を備えた計量部本体と、該計量部本体を内部に収容し前記表示部を視認するための視認窓が設けられたケーシングと、を備えたユーティリティ計量計の前記表示部を外部から遮蔽するユーティリティ計量計の表示部遮蔽構造において、前記ケーシングの視認窓から前記表示部への視界を遮蔽するように前記ケーシングに接着される遮蔽体を備え、前記遮蔽体の前記視認窓に対向する領域には、一辺側を軸として回動自在に構成された複数の羽板が所定間隔毎に配置されてなり通常状態において前記対向領域を遮蔽するルーバー部が設けられ、前記ルーバー部の各羽板は、回動先端側にそれぞれ磁性体部が設けられたことを特徴とする。
【００１６】
これによれば、通常状態、すなわち、検針などの正当な理由による計量計本体の表示部のチェック作業が行われていない状態において、ルーバー部の羽板が視認窓の対向領域を遮蔽しているので、外部者による計量部本体の表示部の視認を防止することができる。そして、検針時などに磁石をルーバー部に近づけるだけで、羽板が回動して視認窓の対向領域の遮蔽が解除される。従って、煩雑な作業を行うことなく、表示部の視認許可状態と不許可状態を切り換えることが可能となる。
【００１７】
また、遮蔽体は、既存のユーティリティ計量計のケーシングに接着するだけで取り付け可能であるので、既存の計量計への適用にかかる手間やコストを大きく低減することができる。
【発明の効果】
【００１８】
本発明にかかる表示部遮蔽構造によれば、通常状態において視認窓を遮蔽して計量計の表示部を視認不許可状態にし、検針等などの正当な理由で表示部を視認する必要がある際には、扉体を開放する、或いは磁石を近づけてルーバー部を開放するという容易な方法で、手間のかかる作業を行うことの無く視認不許可状態を解除することができる。
【００１９】
更に、本発明にかかる表示部遮蔽構造は、上述の被覆体又は遮蔽体を計量計のケーシングに接着するだけで既存のユーティリティ計量計に適用することができるので、従来のように計量計の本体をその取り付け基板から外す等の煩雑な作業を省くことが出来る。従って、既存のユーティリティ計量計への適用にかかる作業量やコストを大幅に低減することができる。
【図面の簡単な説明】
【００２０】
【図１】第1の実施の形態にかかる表示遮蔽構造として、電力量計に被覆体が設けられた状態を示す図である。
【図２】図１の被覆体が有する扉体が開放している状態を示す図である。
【図３】被覆体の構造を説明する図である。
【図４】第２の実施の形態にかかる表示遮蔽構造として、電力量計に遮蔽体が設けられた状態を示す図である。
【図５】図４の遮蔽体においてルーバー部が開放した状態を説明する図である。
【図６】遮蔽体の構造を説明する図である。
【図７】遮蔽体の計量計への取り付け状態を示す図である。
【発明を実施するための形態】
【００２１】
以下、本発明にかかる第1及び第2の実施の形態について図面を参照して詳細に説明する。
【００２２】
（第１の実施の形態）
図１は、本実施の形態にかかる表示遮蔽構造として、ユーティリティ計量計としての電力量計に被覆体が設けられた状態を示す図である。本実施の形態にかかる電力量計は、例えば、一戸建て住宅及び、マンションや団地等の集合住宅における部屋ごとの消費電力量の計測及びその計測結果の表示の目的で設置されるものである。
【００２３】
本実施の形態における電力量計１０は、箱状のケーシング１２に計量表示部１４を備えた計量計本体を収容することで構成されており、ケーシング１２の前面部分に、計量表示部１４を外部から視認するための透明の視認窓１６が形成されている一般的な公知の電力量計の形態を有している。
【００２４】
そして、このケーシング１２には、その視認窓１６の部分を覆うように視認窓被覆体１８が設けられている。この視認窓被覆体１８は、ケーシング１２に接着された枠状のフレーム体２１と、このフレーム体２１の一辺側に形成されたセルフヒンジ２２を介して該フレーム体２１と一体に形成された開閉可能な扉体２０と、を備えている。
【００２５】
図２には、視認窓被覆体１８において扉体２０が閉塞されている状態の計量計１０が示されている。図１及び図２から容易に理解されるように、本実施の形態では、視認窓被覆体１８の扉体２０がセルフヒンジ２２により開閉することで、視認窓１６の外部からの遮蔽状態、又は遮蔽解除状態が切り換えられる。
【００２６】
図３は、視認窓被覆体１８の詳細構造を説明する図であり、図３（ａ）は、視認窓被覆体１８の平面図、図３（ｂ）は、セルフヒンジ２２側の辺部に対して反対側の辺部側から視た側面図、図３（ｃ）は、正面図、図３（ｄ）は、セルフヒンジ２２側の辺部側から視た側面図を示している。視認窓被覆体１８のフレーム体２１は、視認窓１６の全周よりも大きな周長に形成されており、ケーシング１２の視認窓１６の外周部分に接着するためにその周に沿って両面テープ２４が貼付され、この両面テープ２４により視認窓１６を囲うようにケーシング１２に接着されている。
【００２７】
そして、このフレーム体２１の一辺部に形成されている扉体２０との連結部分であるセルフヒンジ２２は、その一辺部の上下方向全域に延在している。なお、フレーム体２１と扉体２０とのヒンジ部分は、セルフヒンジ２２として形成するのではなく、ピポットヒンジや蝶番等の他のタイプのヒンジを用いても良い。特に、扉体２０を閉塞方向に付勢するタイプのヒンジであることが好ましい。
【００２８】
上述のセルフヒンジ２２が形成されていない側の他辺部２１ａには、その上端及び下端からの略等距離位置に、扉体２０を係止する一対の弾性係止片２６がそれぞれ設けられている。
【００２９】
この弾性係止片２６は、フレーム体２１の端部２１ａから計量計前方側に向かって延びる矩形板状部２６ａを有し、この矩形板状部２６ａの先端には、内方に屈曲して扉体２０の表面に係合する屈曲部２６ｂが形成され、この屈曲部２６ｂの内側端部に計量計前方に向かって漸次広がるテーパ部２６ｃが形成されている。
【００３０】
この構成により、扉体２０を開放する場合に扉体２０が計量計前方側に引かれると、屈曲部２６ｂが計量計前方側の向きの力を受け、この屈曲部２６ｂが受ける力が矩形板状部２６ａにフレーム体２１の端部２１ａを軸とする回転力として作用し、弾性係止片２６が全体的に外方に向かって開くように変形する。従って、弾性係止片２６が変形すると扉体２０の係止状態が解除される（図３（ａ）において２点鎖線で示す）。
【００３１】
一方、扉体２０は、その一辺部側においてセルフヒンジ２２でフレーム体２１に連結されているとともに、セルフヒンジ２２が形成されている反対側の辺部である他辺部２２ａの中央高さ位置に取手２８が設けられている。取手２８は、指や工具を引掛けて扉体２０を引く力を作用させ易いように先端が内側に屈曲した板状に形成されている。なお、本実施の形態では扉体２０の裏面のほぼ全域に、フレーム体２１と扉体２０の間の衝突を緩衝するクッション３０が貼着されている。
【００３２】
上記構成を有する被覆体２０を電力量計１０に適用したことにより、検針作業を行っていない通常状態では、ケーシング１２の視認窓１６を介した表示部１４の視認が不可能となるように、扉体２０を閉塞して視認窓１６を遮蔽する（図２参照）。この状態で、第三者による外部からの電力量計１０の表示部１４の覗き見を防止することができる。特に、本実施の形態では、被覆体２０のフレーム体２１の端部２１ａに設けられた一対の弾性係止片２６により、扉体２０が係止されているので、意図しない衝撃で扉体２０が空いてしまうことが防止される。
【００３３】
そして、検針などの正当な理由で表示部１４を見る必要がある場合には、検針員が手で又は作業用の工具を用いて取手２８を計量計前方側に引くことにより、上述のように、弾性係止片２６が外方に向かって開くように変形することで扉体２０の係止状態が解除され、扉体２０を開放することができる。この状態で視認窓１６を介した表示部１４の視認が可能となる（図１参照）。一方で、表示部１４の確認後、扉体２０を閉塞する場合には、手又は工具で扉体２０を閉塞方向に付勢し、扉体２０を介して弾性係止片２６のテーパ部２６ｃを押圧することで、弾性係止片２６が外方に弾性変形し扉体２０が閉塞して、再び弾性係止片２６により係止された状態となる。
【００３４】
従って、本実施の形態では、開閉可能な扉体２０を備えた視認窓被覆体１８を既存の電力量計１０のケーシング１２に設置するという方法で、視認窓１６の視認許可状態と不可能状態を切り換える構造を容易に得ることができる一方で、当該切り替えを扉体の開閉という簡易な作業で行うことができる。
【００３５】
特に、視認窓被覆体１８のケーシング１２への取り付けは、フレーム体２１に貼着されている両面テープ２４をケーシング１２の視認窓１６の周囲の部分に貼付するだけで行うことができるので、従来のようにユーティリティ計量計１０を設置用基板から取外す作業を行うことなく、多くの住宅に適用されている既存の電力量計のケーシングへの取り付けを極めて容易に行うことができる。
【００３６】
特に、本実施の形態では、上述のように扉体２０を閉塞方向又は開放方向に付勢することで、その開閉を行うことができるので、ユーティリティ計量計１０が高所や狭い場所に設置されている場合であっても、工具を用いて容易にその開閉作業を行うことができる。
なお、本実施の形態では、ケーシング１２が箱状の不透明なカバー部材である電力量計に視認窓被覆体１８を適用する場合について説明したが、これに限られるものではなく、視認窓被覆体１８を、ケーシングが全体的に透明部材で形成されている電力量計に適用することも可能である。この場合、特に、透明なケーシングにおける電力量計本体の表示部に対応するケーシング正面部分（表示部を視ることのできる部分）を覆うように視認窓被覆体１８を設置することで、上述のように視認窓１６にケーシング１２の視認窓被覆体１８を取り付けた場合に得られる効果と同様の効果を奏する。
【００３７】
また、上記実施の形態におけるセルフヒンジ２２の構造、弾性係止片２６の構造、及び扉体２０に設けられている取手２８の構造は、一例であって、それらに限定されるものではなく、これらの構造は扉体２０が開閉可能であるような種々の変形の適用が可能である。
【００３８】
更に、視認窓被覆体１８が適用されるユーティリティ計量計は、電力量計に限られず、水道量計やガス量計等の他の種々の計量計に適用可能である。特に、本実施の形態にかかる視認窓被覆体１８は、計量結果を表示する表示部を第三者に見られることにより、計量対象の住宅の在宅不在状況の判断が容易となり易い種類のユーティリティ（電気、ガス、水道）を計量及び表示する計量計に適用されることが極めて好適である。
【００３９】
（第２の実施の形態）
以下、第２の実施の形態について図面を参照して詳細に説明する。なお、第１の実施の形態と同様の要素には、同一の符号を付し、その説明を省略する。
【００４０】
図４は、本実施の形態にかかる表示遮蔽構造として、電力量計１０に後述するブラインド式の開閉構造を備えた遮蔽体が設けられた状態を示す図であり、図５は、その構造において、表示部１４の遮蔽が解除されている状態の電力量計１０を示す図である。
【００４１】
本実施の形態では、電力量計１０のケーシング１２の視認窓１６の裏面に、表示部１４の遮蔽、及び遮蔽解除を切り換える遮蔽体３２が設けられている。この遮蔽体３２は、一辺部を軸として回動可能な複数の羽板３４からなるルーバー部３６を備えており、このルーバー部３６は、通常状態で閉塞して表示部１４を遮蔽し（図４参照）、磁石を近づけて磁力を付加することで開放され表示部１４の遮蔽が解除される（図５参照）。
【００４２】
図６は、遮蔽体３２の構造を説明する図であり、図６（ａ）は、遮蔽体３２の閉塞状態における側面図を示しており、図６（ｂ）は、当該閉塞状態における正面図を示している。一方、図６（ｃ）は、遮蔽体３２の開放状態における側面図を示しており、図６（ｄ）は、当該開放状態における正面図を示している。なお、図６（ａ）〜（ｄ）においては、遮蔽体３２のケーシング１２への設置態様を理解し易いように、電力量計１０の表示部１４や視認窓１６を図示している。
【００４３】
遮蔽体３２は、略直方体状で中空の骨組み体３８を本体とし、この骨組み体３８において、ケーシング１２への設置状態で電力量計１０の本体部１１と対向する側の一対の構成支柱４０には、その上端から下端の全域に亘って複数の軸部４２が架設されており、この各軸部４２に羽板３４の一辺部３４ａが軸支されてルーバー部３６が構成されている。また、この羽板３４の他辺部３４ｂには、該他辺部３４ｂの全長に亘って延在する棒状の鉄心４４が埋設されている。更に、各羽板３４の他辺部３４ｂの一端は、連結棒４６によりそれら各羽板３４が軸部４２を軸として一体的に回動するように連結されている。
【００４４】
図７には、上記構成を有する遮蔽体３２をケーシング１２の視認窓１６の裏面に設置した態様を説明する図を示す。図示のように、遮蔽体３２は、骨組み体３８の前方枠状部４８に沿って貼着されている両面テープ２４を視認窓１６の裏面側に接着させることで、ケーシング１２に設置されている。なお、このように、視認窓１６の裏面に遮蔽体３２を設置する際には、一度、視認窓１６をケーシング１２から取外して、その視認窓１６の裏面に遮蔽体３２の前方枠状部４８を両面テープ２４によって貼り付けた後に、視認窓１６をケーシング１２に戻す。従って、本実施の形態にかかる遮蔽体３２は、従来のようにユーティリティ計量計１０を設置用基板から取外す作業を行うことなく、既存の電力量計のケーシングへの取り付けを極めて容易に行うことができる。
【００４５】
そして、上述の構成により、検針などの正当な理由で表示部１４を見る必要がある場合には、検針員が、作業用棒などに取り付けられた磁石５０を視認窓１６に近づけることにより、ルーバー部３６の羽板３４の他端３４ｂに埋め込まれている鉄心４４が磁性を帯び、磁石５０側、すなわち、電力量計１０の正面側に引き付けられる（図５及び図６参照）。ルーバー部３６の各羽板３４は、連結棒４６により連結されていることから、各羽板３４は、その鉄心４４が磁石５０に引き付けられる引力により、軸部４２を軸として回動し、それぞれ水平となるように持ち上がる。これにより、ルーバー部３６は、いわゆるブラインドが開いたような状態となるので、検針員は、視認窓１６から電力量計１０の内部の表示部１４を視認し検針を行なうことが可能である。
【００４６】
一方で、検針員が表示部１４を視認確認が終了した後に磁石５０を遠ざけると、磁石５０の磁力により鉄心４４に作用していた引力が解除され、ルーバー部３６の各羽板３４は、自重により回動して鉛直方向に並び、視認窓１６を介した表示部１４の視認が遮蔽される。すなわち、この状態が、検針等が行われていない通常状態であるので、第三者による正当な理由の無い表示部１４の覗き見を防止することができる。
【００４７】
上述のように、本実施の形態では、磁力の印加と解除により開閉するブラインド状のルーバー部３６を備えた遮蔽体３２を、電力量計１０のケーシング１２の視認窓１６の部分に設置するという容易な方法で、表示部の視認許可状態と不可能状態を切り換える構造を得ることができる。
【００４８】
また、遮蔽体３２をユーティリティ計量計１０に適用したことで、表示部の視認許可状態と不可能状態の切り替えを、磁石５０を視認窓１６に近接させる或いは遠ざけるという簡易な作業で行うことができる。特に、本実施の形態では、図５に示されているように磁石５０を工具の先端に取り付ける等して、それを視認窓１６に近接させることで、ユーティリティ計量計１０が手の届き難い高所や狭い場所に設置されている場合であっても、容易にルーバー部３６を開放して表示部１４を視認することができる。
【００４９】
なお、本実施の形態では、視認窓１６の裏面、すなわち、電力量計１０の本体の表示部１４に対向する面に遮蔽体３２を設置しているが、これに限られるものではなく。視認窓１６の前面、すなわち、ケーシング１２の外側に遮蔽体３２を設置し、ルーバー部３６の開け閉めで視認窓１６の開放、及び遮蔽を切り換えるようにしても良い。
【００５０】
また、本発明は、上記第1及び第2の実施の形態に限定されるものではなく、発明の要旨の範囲内で種々の変更が可能である。
【符号の説明】
【００５１】
１０        電力量計（ユーティリティ計量計）
１２        ケーシング
１４        表示部
１６        視認窓
１８        被覆体
２０        扉体（開閉扉体）
３０        両面テープ
３２        遮蔽体
３４        羽板
３６        ルーバー部
４４        鉄心（磁性体）
【図１】
2011242140.tif 000003
【図２】
2011242140.tif 000004
【図３】
2011242140.tif 000005
【図４】
2011242140.tif 000006
【図５】
2011242140.tif 000007
【図６】
2011242140.tif 000008
【図７】
2011242140.tif 000009